(57)【特許請求の範囲】
【請求項１】
表示部を有する携帯型情報処理装置との間で近距離無線通信を行う近接通信部と、
前記近接通信部を介した通信により通信可能範囲にある携帯型情報処理装置を認識する認識部と、
認識された携帯型情報処理装置の表示部にジョブ設定画面を表示させるためのデータを、前記近接通信部を介して送信するジョブ設定部と、
ジョブの開始指示に応答してそのジョブを実行するジョブ制御部とを備え、
前記ジョブ設定画面は、実行すべきジョブの機能をユーザが選択する設定画面であり、
前記ジョブ設定部は、前記認識が行われた後前記ジョブ設定画面を用いたジョブ設定を、前記近接通信部を介して受信することにより前記携帯型情報処理装置からのジョブ設定を受付け、
前記ジョブ制御部は、ジョブ設定を受付けた開始指示待ち状態のジョブを管理して開始指示を受付けることを特徴とする画像形成装置。
【請求項２】
前記近接通信部は、通信可能な近接距離内にある複数の携帯型情報処理装置と通信可能であり、
前記ジョブ制御部は、登録されたジョブが開始指示待ち、実行順待ち、実行中の何れの状態かを含むステータス情報を各携帯型情報処理装置に送信し、各携帯型情報処理装置から開始指示待ちまたは実行順待ち状態にあるジョブの削除または編集の指示を受付ける請求項１に記載の画像形成装置。
【請求項３】
前記ジョブ制御部は、各携帯型情報処理装置から実行順待ち状態にあるジョブの順序変更の指示を受付ける請求項２に記載の画像形成装置。
【請求項４】
前記ジョブ制御部は、開始指示待ち若しくは実行順待ち状態にあるジョブを登録した携帯型情報処理装置がそのジョブの実行前に通信可能な近接距離から離れたとき、そのジョブを削除するか、または予め定められた期間が満了するまで実行保留状態にし、期間満了前に前記携帯型情報処理装置が通信可能な近接距離内に戻ったときはそのジョブを再開し戻らないときはそのジョブを削除する請求項２〜３の何れか一つに記載の画像形成装置。
【請求項５】
外部のサーバーと通信する遠隔通信部をさらに備え、
前記ステータス情報は、正常動作状態か否かの情報を含み、
前記ジョブ制御部は、前記ステータス情報と設置場所の情報を、前記遠隔通信部を介して前記サーバーに送信し、
前記サーバーは、前記ステータス情報および設置場所情報を、他の画像形成装置から送信されたステータス情報および設置場所情報と共に格納し、
前記ジョブ制御部は、正常動作状態でない場合または実行順待ち状態のジョブが予め定められた基準を超える状態の場合、通信可能な近接距離内にある各携帯型情報処理装置にその状態を送信し、かつ、前記サーバーに格納された情報を検索して正常動作状態かつ実行順待ち状態のジョブが予め定められた基準以下の状態にある他の画像形成装置の設置場所を各携帯型情報処理装置に提供するように制御する請求項２〜４の何れか一つに記載の画像形成装置。
【発明の詳細な説明】
【技術分野】
【０００１】
この発明は、携帯型情報処理装置との間で近距離無線通信を行う画像形成装置に関する。
【背景技術】
【０００２】
近年、個人認証に近距離無線通信の技術を用いるものが普及している。具体的には、非接触ＩＣカードを用いた社員証やおサイフケータイ（登録商標）などがある。なお、近距離無線通信は、広義には通信可能距離の短い無線通信を指すが、狭義には近接場型の無線通信（Near Field Communication、略してＮＦＣともいう）を指す。ＮＦＣは、通信可能範囲（以下、フィールドともいう）が約１メートル〜数センチメートル程度で、例えばFeliCa（登録商標）やMIFARE（登録商標）などの規格がある。広義の近距離無線通信は、ＮＦＣの他にWi-Fi（登録商標）やBluetooth（登録商標）などの規格を含む。この明細書で近距離無線通信は、Wi-FiやBluetoothなどを含む広義の意味で用いる。
【０００３】
近年は、多数のスマートフォン、タブレットコンピュータあるいはモバイルコンピュータなどの携帯型情報処理装置が近距離無線通信の機能を備えている。そして、携帯型情報処理装置の処理能力が向上している。
【０００４】
このような状況下で、デジタル複合機などの画像形成装置の使用許可にあたり、近距離無線通信機能を搭載した機器が保持している利用者毎の証明書情報に基づいてユーザ認証を行うものが提案されている（例えば、特許文献１参照）。
【０００５】
また、印刷指示を受けた画像形成装置と、その近距離に位置する他の画像形成装置との間で近距離無線通信を行って双方で印刷を行うものが提案されている（例えば、特許文献２参照）。
【先行技術文献】
【特許文献】
【０００６】
【特許文献１】特開２０１１−１５５４９５号公報
【特許文献２】特開２０１２−２３８１７８号公報
【発明の概要】
【発明が解決しようとする課題】
【０００７】
携帯型情報処理装置の処理能力が向上しているにもかかわらず、画像処理装置の操作設定等に関してその処理能力を十分に活用しているとはいえなかった。
【０００８】
例えば、コンビニエンスストア等のパブリックスペースに設置されたデジタル複合機は、不特定多数のユーザによって使用される。その場合、現在そのデジタル複合機がコピーやプリント等の処理（ジョブ）の処理中であれば、他のユーザは原則的にそのジョブが終わるまで待つ必要があった。具体例を挙げると、第１のユーザがデジタル複合機の操作パネルを用いてコピー等の設定を行っている間、第２のユーザは、コピージョブの設定を行うことができない。また、デジタル複合機が第１のユーザに係るコピーやプリントのジョブを既に開始している場合、第２のユーザはたとえ操作パネルでコピーの設定ができるとしても、第１のユーザに係る出力が完了するまではコピーの出力を得ることができない。
【０００９】
この発明は、以上のような事情を考慮してなされたものであって、近距離無線通信により外部の携帯型情報処理装置を用いたインタラクティブな操作を可能にする画像処理装置を提供するものである。
【課題を解決するための手段】
【００１０】
この発明は、表示部を有する携帯型情報処理装置との間で近距離無線通信を行う近接通信部と、前記近接通信部を介した通信により通信可能範囲にある携帯型情報処理装置を認識する認識部と、認識された携帯型情報処理装置の表示部にジョブ設定画面を表示させるためのデータを、前記近接通信部を介して送信するジョブ設定部と、ジョブの開始指示に応答してそのジョブを実行するジョブ制御部とを備え、前記ジョブ設定部は、前記認識が行われた後前記ジョブ設定画面を用いたジョブ設定を、前記近接通信部を介して受信することにより前記携帯型情報処理装置からのジョブ設定を受付け、前記ジョブ制御部は、ジョブ設定を受付けたジョブについて開始指示を受付けることを特徴とする画像形成装置を提供する。
【発明の効果】
【００１１】
この発明において、ジョブ設定部は、ジョブ設定画面を用いたジョブ設定を、近接通信部を介して受信し、そのジョブ設定に係るジョブの設定完了の登録を認証の以降に前記携帯型情報処理装置から受付け、ジョブ制御部は、ジョブ設定を受付けたジョブについて開始指示を受付けるので、近距離無線通信を介してやりとり可能な携帯型情報処理装置を用いてユーザ認証だけでなくジョブ設定の操作が可能である。よって、複数のユーザが画像形成装置を同時に使用するときでもジョブ設定を効率的に行うことができる。
【００１２】
例えば、コンビニエンスストア等のパブリックスペースに設置されたデジタル複合機を複数のユーザが使用するシーンを考える。それぞれのユーザが携帯するスマートフォン、タブレットコンピュータあるいはモバイルコンピュータ等の携帯型情報処理装置は、ユーザ認証やおサイフケータイによる料金の支払いが可能であるとする。即ち、ＮＦＣ、Wi-FiあるいはBluetooth等の近距離無線通信を介してデジタル複合機と通信可能であるとする。
【００１３】
この発明によれば、それらの携帯型情報処理装置の表示部にジョブ設定画面を表示させる。各ユーザは、携帯型情報処理装置のジョブ設定画面でジョブ設定を予め行う。そして、デジタル複合機が実行しているジョブが終了したとき、前記携帯型情報処理装置を例えばデジタル複合機にタッチしてＮＦＣを介した通信を行う。あるいは他の方式の近距離無線通信を用いてデジタル複合機と通信を行う。このようにすれば、ユーザ認証やおサイフケータイによる料金の支払いのみならず、デジタル複合機のジョブ設定を携帯型情報処理装置により行うことができる。
【００１４】
各ユーザは、携帯型情報処理装置を用いてスムーズに操作を行うことができるだけでなく、他のユーザがデジタル複合機の操作パネルを用いてジョブ設定を行うのを待つ必要がなくなる。デジタル複合機を設置した店舗等は、ユーザが操作設定だけのためにデジタル複合機を占有する時間を短縮できるので、デジタル複合機の稼働率を上げることができる。
【図面の簡単な説明】
【００１５】
【図１】この発明の像形成装置が外部の機器と通信する形態の一例を示す説明図である。
【図２】この発明に係るデジタル複合機の構成を示すブロック図である。
【図３】この発明のデジタル複合機１１の操作部３３に表示されるジョブ設定画面４１の一例を示す説明図である。
【図４】この発明の携帯型情報処理装置の表示部に表示されるジョブ設定画面の一例を示す説明図である。
【図５】この発明の携帯型情報処理装置の表示部に表示されるジョブ設定画面の異なる例を示す説明図である。
【図６】この発明の携帯型情報処理装置の表示部に表示される基づくジョブ状況画面の一例を示す説明図である。
【図７】この発明の携帯型情報処理装置の表示部に表示されるジョブ設定確認画面の例を示す説明図である。
【図８】この発明に係る制御部が実行する処理の手順を示すフローチャートである。
【図９】図８の処理の続きを示すフローチャートである。
【図１０】図９の処理の続きを示すフローチャートである。
【図１１】図１０の処理の続きを示すフローチャートである。
【発明を実施するための形態】
【００１６】
以下、図面を用いてこの発明をさらに詳述する。なお、以下の説明は、すべての点で例示であって、この発明を限定するものと解されるべきではない。
【００１７】
≪デジタル複合機の通信形態≫
この発明の画像形成装置の具体例としてデジタル複合機を考える。そして、そのデジタル複合機が外部の機器と通信する形態の一例につき説明する。
図１は、前記デジタル複合機が外部の機器と通信する形態の一例を示す説明図である。図１で、デジタル複合機１１ａ、１１ｂ、１１ｃはそれぞれこの発明の画像形成装置である。例えば、デジタル複合機１１ａはコンビニエンスストアの店舗Ａに設置されている。デジタル複合機１１ｂは、店舗Ａと異なるコンビニエンスストア（店舗Ｂ）に設置されている。また、デジタル複合機１１ｃは、学校の構内に設置されている。このように、パブリックスペースに設置され不特定多数の人が使用できるデジタル複合機が典型例である。ただし、この発明はパブリックスペースに設置された画像形成装置に限定されるものでない。オフィスのフロアに設置される画像形成装置にも適用可能である。要するに、近距離無線通信の機能を有する画像形成装置に適用可能である。
【００１８】
例えば、デジタル複合機１１ａは、あるユーザが有するモバイルコンピュータ１３ａと近距離無線通信（例えばWi-Fiの規格に基づく無線LAN通信）により情報を遣り取りする。さらに、他のユーザが有するスマートフォン１４ａと近距離無線通信（例えばＮＦＣの規格に基づく近接場型の無線通信）により情報を遣り取りする。また、別のユーザが有するタブレットコンピュータ１５ａと近距離無線通信（例えばBluetoothの規格に基づく無線通信）により情報を遣り取りする。同様に、デジタル複合機１１ｂは、モバイルコンピュータ１３ｂ、スマートフォン１４ｂあるいはタブレットコンピュータ１５ｂと近距離無線通信を行う。また、デジタル複合機１１ｃは、モバイルコンピュータ１３ｃ、スマートフォン１４ｃあるいはタブレットコンピュータ１５ｃと近距離無線通信を行う。
【００１９】
さらに、デジタル複合機１１ａ、１１ｂおよび１１ｃは、近距離無線通信とは異なる遠隔通信のネットワーク（例えば、インターネット）を介して外部のクラウドサーバー１７と接続されている。デジタル複合機１１ａ、１１ｂおよび１１ｃは、各装置の状態を表すステータス情報をクラウドサーバー１７に送信する。ステータス情報は、デジタル複合機１１ａ、１１ｂおよび１１ｃのそれぞれの状態を表す情報であって、例えば正常動作状態か否かの情報である。また、実行中、実行順待ちまたは開始指示待ち状態にあるジョブの種類（コピー、ファックス、写真サービス、プリントサービス、スキャンサービス等）と各ジョブが開始指示待ち、実行順待ちまたは実行中の何れの状態か（ジョブ状況）を含む。さらに、ジョブが開始指示待ち、実行順待ちまたは実行中の状態になった時刻、ジョブ設定の内容（例えばコピー枚数、プリント枚数、後処理の有無と種類等、片面／両面、特別機能の設定内容）を含んでいてもよい。なお、特別機能とは、例えばとじしろ、枠消去、中綴じといったような機能である。
【００２０】
クラウドサーバー１７は、複数の画像形成装置とネットワークで接続されて各画像形成装置の状態を知ることができるサーバーである。それぞれの画像形成装置のステータス情報に加え、それらの設置場所を格納する。設置場所の登録は、各画像形成装置を設置した作業者がクラウドサーバー１７にアクセスして行う。
【００２１】
≪画像形成装置の構成≫
この発明の画像形成装置の概略構成について説明する。図１のデジタル複合機１１ａ、１１ｂおよび１１ｃに対応するものである。
図２は、この発明の画像形成装置であるデジタル複合機の構成を示すブロック図である。図２に示すデジタル複合機１１は、図１に示すデジタル複合機１１ａ、１１ｂおよび１１ｃに相当する。それらは同様の構成を有している。
【００２２】
図２で、近接通信部２１は、外部の携帯型情報処理装置との間で近距離無線通信を行う。近距離無線通信の具体的態様としてＮＦＣ、Wi-FiやBluetoothなどが挙げられるがこれらに限定されるものでない。また、それらのうち何れか一つの通信機能を有していればよいが、複数の通信に対応していてもよい。また、プリントサービスで、携帯型情報処理装置からのプリントデータを受信してもよい。
【００２３】
制御部２３は、具体的なハードウェア構成はコンピュータを中心としてメモリ、入出力回路および他の周辺回路から構成される。制御部２３に係るコンピュータは、メモリに予め格納された制御プログラムを実行してデジタル複合機１１を制御する。制御部２３が担う代表的な機能として認識部２５、ジョブ設定部２７、ジョブ制御部２９および画像制御部３１を記載している。ただし、制御部２３は、これらに属さない種々の処理も実行する。
【００２４】
認識部２５は、近接通信部２１の通信可能な範囲内に携帯型情報処理装置が入るとその存在を認識して通信の確立を試みる。例えばBluetoothの通信機能を備えた携帯型情報処理装置がフィールドに入ったとき、デジタル複合機１１とペアリングを行う。
以上は、近距離無線通信がBluetoothの場合の説明であるが、例えばWi-Fi規格の無線LAN通信でも、フィールドに携帯型情報処理装置が入ると、通信の確立を試みる。
【００２５】
ジョブ設定部２７は、通信が確立した携帯型情報処理装置からの要求に応答してジョブ設定画面を表示させるためのデータを送る。そして、そのジョブ設定画面を用いた操作によるジョブ設定を受付ける。
【００２６】
前記要求は、例えば、ユーザが前記携帯型情報処理装置に予めジョブ設定用のアプリをインストールしておき、そのアプリの起動に応答して発せられる。あるいは、デジタル複合機１１がジョブ設定用のＷｅｂサイトを提供し、通信確立した携帯型情報処理装置を用いてそのＷｅｂサイトにログインが完了したときに前記要求が発せられる。
【００２７】
近距離無線通信がＮＦＣの場合は、デジタル複合機１１の予め定められた領域（例えば、操作パネルの一部の領域）にユーザが携帯型情報処理装置をタッチさせたとき、認識部２５は通信を確立させる。同時に、ジョブ設定画面を表示させるためのデータをその携帯型情報処理装置に送信する。タッチの行為が、デジタル複合機１１の操作にその携帯型情報処理装置を用いるというユーザの意志を示していると考えられるので、タッチと同時にジョブ設定画面を表示させる。
また、ジョブ設定部２７は、デジタル複合機１１の操作部３３を用いたジョブ設定も受付ける。
ジョブ設定部２７は、受付けたジョブ設定を送信元の携帯型情報処理装置別に格納する。操作部３３によるジョブ設定は、それらと別に格納する。
【００２８】
ジョブ制御部２９は、ジョブ設定部２７が受付けたそれぞれのジョブ設定に対するジョブ開始指示を待つ。開始指示を受けると、ジョブ制御部は、そのジョブの実行を開始する。ただし、先に実行中のジョブがある等、ハードウェア資源が使用できない場合は、そのジョブを実行待ちキューに登録する。実行待ちキューに登録されたジョブは、原則的に先入れ先出しの順で順番に実行される。なお、ユーザの操作により実行待ちキューのジョブを削除したり、順序を入れ換えたり、ジョブ設定を変更することも可能である。それらの操作は、操作部３３を用いてユーザが行うこともできるが、ジョブ設定部２７が該当するジョブを受付けた携帯型情報処理装置を用いて行うこともできる。
【００２９】
また、ジョブ制御部２９は、ジョブ開始指示状態にあるか、または実行待ちキューに登録されたジョブのジョブ設定を受付けた携帯型情報処理装置が、そのジョブのそのジョブの実行前に通信可能な近接距離から離れたとき、そのジョブを削除してもよい。あるいは、ジョブ制御部２９は予め定められた期間が満了するまでそのジョブを保留の状態にしてもよい。そして、前記期間の満了前に前述の携帯型情報処理装置が通信可能な近接距離内に戻ったときはそのジョブを継続するが戻らないときはそのジョブを削除してもよい。
【００３０】
なお、デジタル複合機１１の構成およびジョブの種類によってはハードウェア資源が競合せずに同時並行処理できるものがある。例えば、ファックス送信とプリントサービスは同時並行処理できる可能性がある。スキャンサービスとプリントサービスも同様である。ジョブ制御部２９は、これらの条件を考慮して実行待ちキューを管理する。
画像制御部３１は、各ジョブについて画像形成の処理を制御する。
【００３１】
操作部３３は、デジタル複合機１１の状態や設定をユーザに表示し、ユーザによる操作を受付ける。ハードウェアとしては、例えばタッチパネル付の液晶表示装置が適用される。液晶表示装置の他に、操作キーがあってもよい。コピー枚数や電話番号を入力するテンキーや、ジョブの開始指示を受付けるスタートキーなどである。
【００３２】
遠隔通信部３５は、図１のクラウドサーバー１７との間で前述のステータス情報をはじめとするデータの通信を行う。また、プリントサービスで、ネットワークに接続されたホストからのプリントデータを受信する。
【００３３】
画像形成部３７は、コピー、ファックス、写真サービス、プリントサービス、スキャンサービス等のジョブに係る画像形成を行う。大別すると、原稿の読み取りに係るハードウェア資源、シートの印刷に係るハードウェア資源、画像データの処理や読み書きに係るハードウェア資源から構成される。
【００３４】
≪近距離無線通信を用いた携帯型情報処理装置によるデジタル複合機の操作≫
続いて、この発明のデジタル複合機のユーザが携帯型情報処理装置を用いてデジタル複合機の操作および管理を行ういくつかの態様について説明する。
第１の態様として、携帯型情報処理装置を用いたジョブ設定について説明する。
図１のデジタル複合機１１ｂとスマートフォン１４ｂとがＮＦＣの機能を備えており、互いに通信できるものとする。
デジタル複合機１１ｂが待機中のとき、操作部３３が備える液晶表示装置には初期画面が表示され、操作部３３はジョブの設定および開始指示を受付ける。
【００３５】
図３は、この発明のデジタル複合機１１の操作部３３に表示されるジョブ設定画面４１の一例を示す説明図である。図３に示すジョブ設定画面４１には、トップメニューとしてコピー、ファックス、写真サービス、プリントサービスおよびスキャンサービスの何れかのジョブ設定を選択する操作ボタンが配置されている。それぞれの操作ボタンが押されると、ジョブ設定部２７は、その操作ボタンに対応するジョブのジョブ設定を行う画面にジョブ設定画面４１を切り換える。
【００３６】
なお、図３に示すジョブ設定画面４１には、ステータス画面を表示する操作ボタンが配置されている。この操作ボタンが押されると、ジョブ制御部２９は、ジョブの実行状況を表示するステータス画面にジョブ設定画面４１を切り換える。そのステータス画面で、ジョブ制御部２９は実行順待ち状態にあるジョブの削除または編集の指示を受付ける。さらに、近隣に設置されている他の画像形成装置の照会を受付ける。
【００３７】
ユーザがスマートフォン１４ｂを持ってデジタル複合機１１ｂの予め定められた領域にタッチすると、近接通信部２１を介した通信により認識部２５はスマートフォン１４ｂがフィールドにあることを認識する。スマートフォン１４ｂが新たに認識されたことに応答して、ジョブ設定部２７は、スマートフォン１４ｂの表示部にジョブ設定画面を表示させるためのデータを、近接通信部２１を介して送信する。そのデータは、例えばスマートフォン１４ｂに予めインストールされたアプリの起動を要求するものであってもよい。あるいは、例えばスマートフォン１４ｂに予めインストールされたＷｅｂブラウザを起動させかつアドオンを提供するものであってもよい。その場合、ジョブ設定画面はＷｅｂブラウザの上のアドオンとして表示部に表示されかつユーザの操作を受付ける。
【００３８】
＜コピーのジョブ設定＞
図４および図５は、この発明の携帯型情報処理装置であるスマートフォン１４ｂの表示部４３に表示されるジョブ設定画面の一例を示す説明図である。図４に示すジョブ設定画面４５ａにはデザインが異なるものの図３と同じ機能の操作ボタンが表示されている。即ち、コピー、ファックス、写真サービス、プリントサービスおよびスキャンサービスの操作ボタンおよびステータス画面の操作ボタンである。コピー、ファックス、写真サービス、プリントサービスのうち何れかの操作ボタンが押されると、その操作が近接通信部２１で受信される。
ジョブ設定部２７は、その操作に応答して対応するジョブのジョブ設定を行う画面にジョブ設定画面４５ａを切り換えさせる。
【００３９】
図５は、コピーのジョブ設定画面の例を示す。図５（ａ）に示すジョブ設定画面４５ｂは、操作部３３でコピージョブの設定を受付ける画面とデザインは異なるものの設定できる項目はほぼ同様である。即ち、コピー枚数の設定に用いる数値キー、カラーモード、コピー濃度、倍率、両面コピー、仕上げ、とじしろ、枠消去および各種設定（各種機能の設定画面に遷移する）である。また、右下隅には、ジョブの実行状況を表示するステータス画面にジョブ設定画面４５ｂを切換えるボタンが配置されている。
【００４０】
図５（ｂ）に示すジョブ設定画面４５ｃは、各種機能の設定画面の一例である。中とじ、大量原稿モード、１セット２コピー、表紙／合い紙、ＯＨＰ合い紙、２in１／４in１、ブックコピー、タブコピー、カードスキャンの各種機能を選択するボタンが配置され、何れかのボタンが押されるとその機能を選択する。選択された機能に詳細設定がある機能はその詳細設定を行う画面に遷移する。
【００４１】
ジョブ設定画面４５ｂ、４５ｃ上でコピーのジョブ設定を完了したユーザが、スマートフォン１４ｂを持ってデジタル複合機１１ｂに再びタッチすると、近接通信部２１を介した通信によりジョブ設定のデータがスマートフォン１４ｂからデジタル複合機１１ｂへ送られる。ジョブ設定部２７は、そのジョブ設定を受付けてメモリに格納する。コピージョブの場合、ジョブ制御部は、課金のための認証および操作部３３に配置されたカラースタートキーまたは白黒スタートキー（いずれも図示せず）の押下を待つ。即ち、コピージョブの開始指示を待つ。なお、コピーやスキャンサービス、ファックス送信サービス等、いわゆるウォークアップジョブは、カラースタートキーまたは白黒スタートキーの押下をトリガにジョブの実行を開始するが、プリントジョブの場合は印刷データおよびジョブ設定のデータの受信がそれに代わるものである。
【００４２】
カラースタートキーまたは白黒スタートキーの何れかが押されると、ジョブ制御部２９は、押されたキーに応じてカラーコピーまたは白黒コピーのジョブを開始する。コピーのジョブに必要なハードウェア資源がすぐに使用できない場合は、そのジョブを実行待ちキューに登録し、ハードウェア資源が使用可能になり次第ジョブの実行を開始する。
【００４３】
以上は、スマートフォン１４ｂがフィールドが非常に狭いＮＦＣでデジタル複合機１１ｂと通信する場合の説明であるが、例えばWi-FiやBluetoothなどによる近距離無線通信では、ＮＦＣよりもフィールドが広い。また、ＮＦＣでもタッチするまで近接させなくても通信数センチメートル〜約１メートル程度の範囲内で通信させることも可能である。その場合、スマートフォン１４ｂがデジタル複合機１１ｂのフィールド内にあれば両者の間で随時ジョブ設定画面のデータやジョブ設定のデータを遣り取りできる。
【００４４】
一般に、Wi-Fi等無線ＬＡＮの近距離無線通信は、ＮＦＣに比べるとフィールドが広いが、ワイヤレスネットワークの選択やパスワード入力等の操作に要する手間があった。他方、ＮＦＣは、通信エリアは狭いが機器どうしが近接した距離で通信するので、画像形成装置と携帯型情報処理装置が一対一で認証できるという特徴があり、ユーザが認証設置をする手間の軽減ができる。なお、Bluetoothによる近距離無線通信は、無線ＬＡＮとＮＦＣの中間的なものといえる。初回はペアリングの操作を要するが、次からはフィールド内に入るだけで認証ができる。
【００４５】
スマートフォン１４ｂがフィールド内にあるとき、図４のジョブ設定画面４５ａまたは図５のジョブ設定画面４５ｂで「ジョブ状況」の操作ボタンが押されると、その操作が近接通信部２１で受信される。ジョブ制御部２９は、その操作に応答してジョブの実行状況を表示するジョブ状況画面にジョブ設定画面４１を切り換えさせる。ジョブ状況画面はステータス情報に基づく。スタータス情報は、ジョブ制御部２９をはじめ制御部２３が管理する情報であってデジタル複合機１１ｂの状態を表す。
【００４６】
なお、ジョブ設定画面４５ａ、４５ｂがインストールされたアプリあるいはＷｅｂブラウザのアドオンによって実行される場合、スマートフォン１４ｂがフィールド内にないときにジョブ状況のボタンがタッチされたら、前記アプリまたはアドオンはデジタル複合機と通信できない旨のメッセージを表示してもよい。あるいはＷｅｂブラウザがＷｅｂサーバーであるデジタル複合機１１ｂとの接続されていない旨のメッセージを表示してもよい。そのメッセージを見てユーザがフィールド内に戻る（ＮＦＣの場合はタッチする）と、データの通信が行われる。
【００４７】
＜ジョブ状況の確認とジョブの操作＞
図６は、この発明の携帯型情報処理装置の表示部に表示される基づくジョブ状況画面の一例を示す説明図である。図６に示すように、ジョブ制御部は、実行中および実行順待ち状態にあるジョブをジョブ状況画面４７に表示させる。「コピー中」の表示は実行中の状態を示し、「待機中」の表示は実行待ち状態を示している。さらに、ジョブ制御部２９は表示されたジョブに関する操作を受付ける。
【００４８】
例えば、図６のジョブ状況画面４７で、実行中または待機中のジョブの何れかがタッチされて選択された状態で、「詳細」ボタンがタッチされると、その操作は近接通信部２１を介してジョブ制御部２９に伝えられる。ジョブ制御部２９は、その操作に応答して選択されたジョブ設定の詳細をステータス情報の一つとしてスマートフォン１４ｂへ送信する。スマートフォン１４ｂは、前記ステータス情報に基づいて、ジョブ設定の内容を表示部４３に表示する。
【００４９】
図７は、この発明の携帯型情報処理装置の表示部に表示されるジョブ設定確認画面の例を示す説明図である。
スマートフォン１４ｂでジョブ設定が行われかつ実行待ち状態のジョブについては、ジョブ設定の全部または一部について変更が可能である。実行中のジョブおよび他の携帯型情報処理装置または操作部３３でジョブ設定が行われたジョブについては、ジョブ設定の確認のみが可能である。しかし、スマートフォン１４ｂを用いてジョブ設定を変更することはできない。例外的に、用紙選択の変更は可能である。これは、デジタル複合機１１ｂに装備されているサイズ以外の用紙がジョブ設定されている場合に、装備されている何れかのサイズで出力できるようにするためである。図７（ａ）は、ジョブ設定の確認のみが可能なジョブ設定確認画面４９ａを例示している。図７（ｂ）は、ジョブ設定の変更が可能なジョブ設定確認画面４９ｂを例示している。
図６のジョブ状況画面４７で、「詳細」ボタンの右隣にはグレイアウトされた「優先」ボタンがあり、さらにその右隣には「中止／削除」ボタンがある。
【００５０】
「優先」ボタンは、実行待ち状態のジョブのうち、スマートフォン１４ｂでジョブ設定が行われたジョブを実行待ちジョブの先頭に移動させる。図６でグレイアウトされている理由は、選択されているジョブが実行中のジョブであるからである。また、スマートフォン１４ｂ以外でジョブ設定されたジョブが選択された場合もグレイアウトされる。
【００５１】
「中止／削除」ボタンは、実行中の状態にあるジョブの場合はその実行を途中で中止させ、実行待ち状態にあるジョブの場合は実行待ちキューから削除する。ただし、中止／削除できるのは、スマートフォン１４ｂ以外でジョブ設定されたジョブである。
【００５２】
＜クラウドサーバーを用いた他機照会＞
「他機照会」ボタンは、近隣に設置されている他の画像形成装置の照会する操作に用いる。図１に示すように、この実施形態でデジタル複合機１１ｂは、ネットワーク通信を介してクラウドサーバー１７に接続されている。クラウドサーバーは、複数台の画像形成装置と通信可能で各画像形成装置のステータス情報を取得している。
【００５３】
スマートフォン１４ｂで「他機照会」ボタンが押されると、その操作が近接通信部２１を介して制御部２３に伝えられる。制御部２３は、遠隔通信部３５を介してクラウドサーバー１７に他の画像形成装置の照会を要求する。その要求に応じて、クラウドサーバー１７は、各画像形成装置から取得したステータス情報に基づいて、近い位置にあって混んでいない他の画像形成装置の情報をデジタル複合機１１ｂに返す。その情報を受けると、制御部２３は、スマートフォン１４ｂに転送する。
【００５４】
以上のようにして、ユーザは、スマートフォン１４ｂのジョブ状況画面からデジタル複合機１１ｂの実行待ち状態にあるジョブの数が把握できる。そして、ジョブ実行までの待ち時間が長くなりそうなときは、他機照会キーを押す。すると、他機照会の要求がデジタル複合機１１ｂを介してクラウドサーバー１７に送信される。クラウドサーバー１７は、要求を受けたデジタル複合機１１ｂについて予め格納された設置場所の情報に基づいて、近隣に設置されている他の画像形成装置を検索する。検索の条件として、近隣に設置されているだけでなく、故障中でなくかつ現在、処理待ちのジョブが無いかあったとしても実行待ちジョブの処理時間が基準より短いと予想される装置を検索する。そして、該当する画像形成装置を設置場所の情報と共に要求のあった画像形成装置に送る。この場合は、デジタル複合機１１ｂである。スマートフォン１４ｂがGPS機能を備えていれば、ユーザはデジタル複合機１１ｂを介してクラウドサーバー１７から取得した他の画像形成装置の設置場所を用いた地図表示やナビゲーションのサービスを得ることができる。
【００５５】
以上のように、他機照会に応じてクラウドサーバー１７から他機の情報を得ることでユーザの待ち時間を減らし、クラウドサーバー１７に接続された画像形成装置の全体の稼働率を上げることが可能になる。
【００５６】
＜フィールドの監視に基づくジョブの操作＞
さらに、ジョブ制御部２９は、ジョブ実行待ち状態の期間中、ジョブ設定を行ったスマートフォン１４ｂがフィールド内に留まっているか否かを監視してもよい。そして、スマートフォン１４ｂがフィールドの外に出た場合は、ユーザが離れたと判断して実行待ち状態にあるジョブを即座に削除してもよい。あるいはそのジョブの実行を保留しつつ一定期間監視を続け、期間満了までにスマートフォン１４ｂがフィールド内に入ったときは、実行の保留を解くようにしてもよい。
【００５７】
また、スマートフォン１４ｂがフィールドの外に出た場合に実行待ちの前記ジョブを即座に削除するか一定期間留保してフィールド内に戻るのを監視するかの選択、および期間の長さの選択を、スマートフォン１４ｂのアプリまたはアドオンで行えるようにしてもよい。
【００５８】
ジョブ設定を受付けた後そのジョブの開始指示を待つ場合について、ジョブ制御部２９は、ジョブ設定を行ったスマートフォン１４ｂがフィールド内に留まっているか否かを監視してもよい。そして、スマートフォン１４ｂがフィールドの外に出た場合は、ユーザが離れたと判断して開始指示待ちのジョブのジョブ設定を即座に削除してもよい。あるいはそのジョブ設定を保持しつつ一定期間監視を続け、期間満了までに開始指示を受付けなかった場合は、そのジョブ設定を削除してもよい。
【００５９】
また、スマートフォン１４ｂがフィールドの外に出た場合に開始指示待ちの前記ジョブを即座に削除するか一定期間留保して開始指示を待つかの選択、および期間の長さの選択を、スマートフォン１４ｂのアプリまたはアドオンで行えるようにしてもよい。
【００６０】
≪処理の流れ≫
ジョブ制御部２９を含む制御部２３の処理を説明する。図８〜図１１は、この発明に係る制御部２３が実行する処理の手順を示すフローチャートである。ただし、前記フローチャートはこの発明の特徴的な側面に着目しており、他の処理や表示部４３の画面を切替えるための詳細は省略している。
【００６１】
図８で、まず制御部２３は、近接通信部２１を介した通信により認識部が携帯型情報処理装置を新たに認識したかどうかを調べる（ステップＳ１１）。新たに認識した携帯型情報処理装置がなければ（ステップＳ１１のＮｏ）、ルーチンはループする。ただし、処理はマルチタスク環境下で行われているので、実際にはループ中に他のタスクが並列的に実行される。
【００６２】
新たに認識した携帯型情報処理装置があれば（ステップＳ１１のＹｅｓ）、制御部２３は、その携帯型情報処理装置との通信を確立する（ステップＳ１３）。
続いて、ジョブ設定部２７としての制御部２３は、近接通信部２１を介してジョブ設定画面の要求を受けたか否かを調べる（ステップＳ１５）。ジョブ設定画面の要求は、ＮＦＣで通信する携帯型情報処理装置がタッチされたときに受信する。あるいは、Wi-FiあるいはBluetooth等で通信する携帯型情報処理装置がフィールド内に入り、ユーザの操作によりアプリやジョブ設定用のＷｅｂページやアドオンが起動された場合等に受信される。さらに、ジョブ設定画面が操作されて異なる画面に遷移する場合等にも要求を受ける。
【００６３】
ジョブ設定画面の要求を受けた場合（ステップＳ１５のＹｅｓ）、ジョブ設定部２７は、ジョブ設定画面を表示させるためのデータを要求のあった携帯型情報処理装置に送る。具体的は、要求に対する応答をアプリに送ったりＷｅｂページ表示用のデータを送ったりする。
その後、ルーチンはステップＳ１５へ戻る。
【００６４】
前記ステップＳ１５で、ジョブ設定画面の要求を受けていないとき（ステップＳ１５のＮｏ）、ジョブ設定部２７としての制御部２３は、近接通信部２１を介してジョブ設定を受信したか否かを調べる（ステップＳ２１）。ジョブ設定の受信は、携帯型情報処理装置のジョブ設定画面で「送る」ボタンが操作されたときに行われる。
ジョブ設定を受信した場合（ステップＳ２１のＹｅｓ）、ジョブ制御部２９は、受信したジョブ設定を送信元の携帯型情報処理装置毎にメモリに格納する（ステップＳ２３）。
その後、ルーチンはステップＳ１５へ戻る。
【００６５】
前記ステップＳ２１で、ジョブ設定を受信していないとき（ステップＳ２１のＮｏ）、続いて制御部２３は、ジョブ設定部２７としてジョブの開始指示を受信したか否かを調べる（図９のステップＳ２５）。ジョブの開始指示は、コピー等のウォークアップジョブの場合は操作部３３の図示しないカラースタートキーまたは白黒スタートキーが押下された操作に該当する。プリントジョブの場合は、印刷データおよびジョブ設定のデータの受信が開始指示に該当する。
ジョブの開始指示を受信した場合（ステップＳ２５のＹｅｓ）、ジョブ制御部２９は、開始指示を受信したジョブを実行待ちキューに登録する（ステップＳ２７）。その後、ルーチンはステップＳ１５へ戻る。なお、ジョブ制御部２９は、実行待ちキューに登録されたジョブをジョブの実行が終了するまで管理する。
【００６６】
前記ステップＳ２５で、ジョブの開始指示を受信していないとき（ステップＳ２５のＮｏ）、続いて制御部２３は、近接通信部２１を介してジョブ状況画面の要求を受けたか否かを調べる（ステップＳ３１）。ジョブ状況画面の要求は、ジョブ状況ボタンがタッチされたときに受信する。あるいは、ジョブ状況画面４７の詳細ボタン等が操作されて異なる画面に更新する場合等にも要求を受ける。
【００６７】
ジョブ状況画面の要求を受けた場合（ステップＳ３１のＹｅｓ）、ジョブ設定部２７は、ジョブ状況画面を表示させるためのデータを要求のあった携帯型情報処理装置に送る。具体的は、要求に対する応答をアプリに送ったりＷｅｂページ表示用のデータを送ったりする。
その後、ルーチンはステップＳ１５へ戻る。
【００６８】
前記ステップＳ３１で、ジョブ状況画面の要求を受信していないとき（ステップＳ３１のＮｏ）、続いて制御部２３は、近接通信部２１を介してジョブ操作の指示を受けたか否かを調べる（ステップＳ３５）。ジョブ操作の指示は、例えばジョブ状況画面４７で優先ボタンや中止／削除ボタンが操作された場合等に受信する。
【００６９】
ジョブ状況画面の要求を受けた場合（ステップＳ３５のＹｅｓ）、ジョブ設定部２７は、指示に応じて対象ジョブの順序変更、中止／削除の処理を行う（ステップＳ３７）。
その後、ルーチンはステップＳ１５へ戻る。
【００７０】
前記ステップＳ３５で、ジョブ操作の指示を受信していないとき（ステップＳ３５のＮｏ）、続いて制御部２３は、近接通信部２１を介してジョブ設定変更の指示を受けたか否かを調べる（ステップＳ４１）。ジョブ設定変更の指示は、例えばジョブ設定確認画面４９ｂでカラー／白黒ボタン、両面コピーボタンあるいはコピー濃度ボタン等、ジョブ設定を変更するボタンが操作された場合等に受信する。
【００７１】
ジョブ設定変更の指示を受信した場合（ステップＳ３５のＹｅｓ）、ジョブ設定部２７は、指示に応じて対象ジョブのジョブ設定を変更する処理を行う（ステップＳ４５）。
その後、ルーチンはステップＳ１５へ戻る。
【００７２】
前記ステップＳ４１で、ジョブ設定変更の指示を受信していないとき（ステップＳ４１のＮｏ）、続いて制御部２３は、近接通信部２１を介して他機照会の要求を受けたか否かを調べる（図１０のステップＳ４７）。他機照会の要求は、例えば図６のジョブ状況画面４７で他機照会ボタンが操作された場合に受信する。
【００７３】
他機照会の要求を受信した場合（ステップＳ４７のＹｅｓ）、制御部２３は、遠隔通信部３５を介してクラウドサーバー１７に他機照会の要求を送信する処理を行う（ステップＳ４９）。
その後、ルーチンはステップＳ１５へ戻る。
【００７４】
前記ステップＳ４７で、他機照会の要求を受信していないとき（ステップＳ４７のＮｏ）、続いて制御部２３は、遠隔通信部３５を介して他機照会の結果を受信したか否かを調べる（ステップＳ５１）。他機照会の結果は、前記ステップＳ４９の他機照会要求に応答してクラウドサーバー１７から送られる。
【００７５】
他機照会の結果を受信した場合（ステップＳ５１のＹｅｓ）、制御部２３は、近接通信部２１を介して携帯型情報処理装置に他機照会の結果を送る（ステップＳ５３）。
その後、ルーチンはステップＳ１５へ戻る。なお、携帯型情報処理装置の表示部４３には、他機照会の結果が表示される（図示せず）。
【００７６】
前記ステップＳ５１で、他機照会の結果を受信していないとき（ステップＳ５１のＮｏ）、続いて制御部２３は、認識部２５として携帯型情報処理装置がフィールドから出ていないかどうかを調べる（ステップＳ５５）。携帯型情報処理装置がフィールドから出ていると判断したとき（ステップＳ５５のＹｅｓ）の処理は、図１１の処理として後述する。
携帯型情報処理装置がフィールドから出ていないと判断したとき（ステップＳ５５のＮｏ）、制御部２３は、ジョブ開始指示待ちのままで予め定められた期間が満了していないかを調べる（ステップＳ５７）。
【００７７】
前記期間が満了した場合（ステップＳ５７のＹｅｓ）、制御部２３は、ジョブ制御部２９として対象のジョブ設定をメモリから削除する処理を行う（ステップＳ５９）。
その後、ルーチンはステップＳ１５へ戻る。
【００７８】
前述のステップＳ５５で、制御部２３が、携帯型情報処理装置がフィールドから出ていると判断したとき（ステップＳ５５のＹｅｓ）、ジョブ制御部２９は、その場合どのような対応が設定されているか調べる。即ち、フィールド外へ出た携帯型情報処理装置により登録されたジョブを即時削除するように設定がなされているか、予め定められた期間が満了した後にジョブを削除するように設定がなされているかを調べる（ステップＳ６１）。
即時削除の設定がなされている場合、ジョブ制御部２９は、対象のジョブを実行待ちキューから削除する（ステップＳ６３）。
その後、ルーチンはステップＳ１１へ戻る。
【００７９】
一方、前述のステップＳ６１で、予め定められた期間が満了した後にジョブを削除するように設定がなされている場合、ルーチンはステップＳ６５へ進み、その期間が満了したか否かを調べる。期間が満了したら（ステップＳ６５のＹｅｓ）、ルーチンは前述のステップＳ６３へ進み、ジョブ制御部２９は、対象のジョブを実行待ちキューから削除する。
期間が満了していなければ（ステップＳ６５のＮｏ）、ジョブ制御部２９は、対象のジョブの実行を開始しないように実行保留の状態にする。即ち、そのジョブは実行待ち状態を続け、他のジョブが追い超して実行を開始することを許容する（ステップＳ６７）。
【００８０】
その後、認識部２５としての制御部２３は、フィールド外へ出た携帯型情報処理装置が期間満了前にフィールドに戻ったかを調べる（ステップＳ６９）。戻っていなければ（ステップＳ６９のＮｏ）、ルーチンは前述のステップＳ６５へ進み、期間が満了するかあるいは携帯型情報処理装置がフィールド内へ戻るまでループする。
一旦フィールド外へ出た携帯型情報処理装置が期間満了前にフィールドに戻った場合（ステップＳ６９のＹｅｓ）、ジョブ制御部２９は、該当のジョブについて実行保留の状態を解除する（ステップＳ７１）。
【００８１】
その後、ルーチンはステップＳ１５へ戻る。実行保留を解除されたジョブは、実行待ちキューに登録されている他のジョブと同様に、順番が来るとジョブの実行を開始する。
以上が、制御部２３が実行する処理のうち、この発明に特徴的な処理の流れである。
上述したこの発明の特徴を、幾つかの態様に分けて述べる。
【００８２】
（実施の形態１）
この発明による画像形成装置は、表示部を有する携帯型情報処理装置との間で近距離無線通信を行う近接通信部と、前記近接通信部を介した通信により通信可能範囲にある携帯型情報処理装置を認識する認識部と、認識された携帯型情報処理装置の表示部にジョブ設定画面を表示させるためのデータを、前記近接通信部を介して送信するジョブ設定部と、ジョブの開始指示に応答してそのジョブを実行するジョブ制御部とを備え、前記ジョブ設定部は、前記認識が行われた後前記ジョブ設定画面を用いたジョブ設定を、前記近接通信部を介して受信することにより前記携帯型情報処理装置からのジョブ設定を受付け、前記ジョブ制御部は、ジョブ設定を受付けたジョブについて開始指示を受付けることを特徴とする。
【００８３】
この発明において、携帯型情報処理装置は、ユーザが携帯して認証および操作に係る処理を行うものである。その具体的な態様としては、例えば、スマートフォン、タブレットコンピュータおよびモバイルコンピュータが挙げられるが、これらに限定されるものでない。
【００８４】
また、近接通信部は、携帯電話のＣＤＭＡやＬＴＥなどの通信方式に代表される移動通信に比べて通信可能距離の短い無線通信方式で通信を行うためのインターフェイス回路を指す。その具体的な態様としては、例えば、Wi-Fi、BluetoothあるいはＮＦＣ等の通信規格に基づくものが挙げられるが、これらに限定されるものでない。
【００８５】
さらにまた、認証情報は、予め携帯型情報処理装置に格納されていてもよく、ユーザが携帯型情報処理装置を操作して入力してもよく、あるいは携帯型情報処理装置がユーザ固有の特徴（例えば、生体的特徴）を捕捉してもよい。
【００８６】
ジョブは、画像形成装置が入力データを処理して出力する一連の処理であって、例えばコピージョブ、プリントジョブ、スキャンジョブ、ファックス送信ジョブ、ファックス受信ジョブなどが挙げられる。
【００８７】
また、ジョブ設定画面は、ジョブを実行するうえで必要な設定を行うための操作画面であって、例えばコピージョブにおけるコピー枚数、両面コピーか片面コピーかの選択、後処理の選択等の設定を行う画面である。
【００８８】
さらにまた、ジョブの設定完了の登録は、ジョブの設定がジョブ制御部の管理下に置かれて開始指示待ちの状態になったことを指す。なお、開始指示待ち状態のジョブが開始指示を受けた後は、実行順待ちまたは実行中の状態に遷移する。実行順待ちの状態は、現在実行中の他のジョブがある等の理由による待ち状態であり、待ちの要因がなくなったら実行を開始する状態である。
【００８９】
認証部、ジョブ設定部およびジョブ制御部の各機能は、メモリに予め格納された各機能に対応するプログラム（ソフトウェア）をコンピュータが読み込み、画像処理装置のハードウェア資源と協働した処理を行うことによって実現される。
【００９０】
さらに、この発明の好ましい態様について説明する。
（実施の形態２）
前記近接通信部は、通信可能な近接距離内にある複数の携帯型情報処理装置と通信可能であり、前記ジョブ制御部は、登録されたジョブが開始指示待ち、実行順待ち、実行中の何れの状態かを含むステータス情報を各携帯型情報処理装置に送信し、各携帯型情報処理装置から開始指示待ちまたは実行順待ち状態にあるジョブの削除または編集の指示を受付けてもよい。
このようにすれば、ユーザは携帯型情報処理装置でジョブのステータスを確認できるだけでなく、ジョブの削除または編集をおこなうことができる。
【００９１】
（実施の形態３）
前記ジョブ制御部は、各携帯型情報処理装置から実行順待ち状態にあるジョブの順序変更の指示を受付けてもよい。
このようにすれば、ユーザは携帯型情報処理装置でジョブのステータスを確認できるだけでなく、ジョブの実行順を変更できる。
【００９２】
（実施の形態４）
前記ジョブ制御部は、開始指示待ち若しくは実行順待ち状態にあるジョブを登録した携帯型情報処理装置がそのジョブの実行前に通信可能な近接距離から離れたとき、そのジョブを削除するか、または予め定められた期間が満了するまで実行保留状態にし、期間満了前に前記携帯型情報処理装置が通信可能な近接距離内に戻ったときはそのジョブを再開し戻らないときはそのジョブを削除してもよい。
このようにすれば、実行待ち状態になったジョブを登録したユーザが何らかの事情でその場を離れてしまったときに、そのジョブが残ってしまうと入った不具合を回避することができる。
【００９３】
（実施の形態５）
外部のサーバーと通信する遠隔通信部をさらに備え、前記ステータス情報は、正常動作状態か否かの情報を含み、前記ジョブ制御部は、前記ステータス情報と設置場所の情報を、前記遠隔通信部を介して前記サーバーに送信し、前記サーバーは、前記ステータス情報および設置場所情報を、他の画像形成装置から送信されたステータス情報および設置場所情報と共に格納し、前記ジョブ制御部は、正常動作状態でない場合または実行順待ち状態のジョブが予め定められた基準を超える状態の場合、通信可能な近接距離内にある各携帯型情報処理装置にその状態を送信し、かつ、前記サーバーに格納された情報を検索して正常動作状態かつ実行順待ち状態のジョブが予め定められた基準以下の状態にある他の画像形成装置の設置場所を各携帯型情報処理装置に提供するように制御してもよい。
このようにすれば、画像形成装置が正常動作状態でない場合やジョブ実行までに長い待ちがある場合に携帯型情報処理装置を用いて利用可能な他の画像形成装置の情報を入手できる。
この発明の好ましい態様には、上述した複数の態様のうちの何れかを組み合わせたものも含まれる。
【００９４】
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００９５】
１１、１１ａ、１１ｂ、１１ｃ：デジタル複合機、    １３ａ、１３ｂ、１３ｃ：モバイルコンピュータ、    １４ａ、１４ｂ、１４ｃ：スマートフォン、    １５ａ、１５ｂ、１５ｃ：タブレットコンピュータ、    １７：クラウドサーバー、    ２１：近接通信部、    ２３：制御部、    ２５：認識部、    ２７：ジョブ設定部、    ２９：ジョブ制御部、    ３１：画像制御部、    ３３：操作部、    ３５：遠隔通信部、    ３７：画像形成部、    ４１、４５ａ、４５ｂ、４５ｃ：ジョブ設定画面、    ４３：表示部、    ４７：ジョブ状況画面、    ４９ａ、４９ｂ：ジョブ設定確認画面
【図１】
0005889855.tif 000002
【図２】
0005889855.tif 000003
【図３】
0005889855.tif 000004
【図４】
0005889855.tif 000005
【図５】
0005889855.tif 000006
【図６】
0005889855.tif 000007
【図７】
0005889855.tif 000008
【図８】
0005889855.tif 000009
【図９】
0005889855.tif 000010
【図１０】
0005889855.tif 000011
【図１１】
0005889855.tif 000012